(57)【特許請求の範囲】
【請求項１】
少なくとも上部の開口する中空穴が上下に延在する押出成形セメント板を吊り上げる押出成形セメント板の吊上具であって、
前記中空穴に挿入され該中空穴の内壁面へ向かって下り勾配となる第１傾斜面を上辺部に有するベースブロックと、
該ベースブロックの上方で前記中空穴に配置され前記第１傾斜面と平行な第２傾斜面を下辺部に有するスライドブロックと、
前記第１傾斜面と該第２傾斜面とに亘って設けられ前記ベースブロックと該スライドブロックを傾斜面に沿ってスライド自在に連結するスライド連結手段と、
前記ベースブロックに下端が締結され吊り環の設けられた上端が前記中空穴から引き出される吊りワイヤーと、を備え、
前記吊りワイヤーの引き上げによる前記スライド連結手段を介する前記ベースブロックと前記スライドブロックとの離反方向へのスライドによって該ベースブロックと該スライドブロックの平行な外側面同士が、前記中空穴の平行な内壁面に当接することを特徴とする押出成形セメント板の吊上具。
【請求項２】
前記スライドブロックに下端が締結され吊り環の設けられた上端が前記中空穴から引き出されるロック解除ワイヤーを備えたことを特徴とする請求項１記載の押出成形セメント板の吊上具。
【請求項３】
前記中空穴の平行な内壁面に当接する前記ベースブロック及び前記スライドブロックの当接面に、滑り止め手段が設けられたことを特徴とする請求項１又は請求項２記載の押出成形セメント板の吊上具。
【発明の詳細な説明】
【技術分野】
【０００１】
本発明は、中空部を有する押出成形セメント板を建築物の躯体に取り付ける際に吊り上げるために使用する押出成形セメント板の吊上具に関するものである。
【背景技術】
【０００２】
従来、押出成形セメント板（以下、「中空パネル」とも称す。）を吊り上げる場合、図７に示すように、中空パネル１をナイロンスリング３によって吊り上げ、ナイロンスリング３を図８に示すＺクリップ５に引っ掛けて落下を防止するようにして、所定の位置まで移動し、図示しないアングル（重量受け）の上に載置した後、ナイロンスリング３を取り外し、Ｚクリップ５を下地に仮留めし、目地幅、パネルの出入りなどのレベル調整を行なった後、取り付け金具のボルトをアングルに締め付けて中空パネル１を取付けていた。
【０００３】
【特許文献１】実公平６−１５８２号公報
【特許文献２】特開平１０−２５８９８５号公報
【特許文献３】特開２０００−３２０１４３号公報
【特許文献４】特開２００３−１３６０４号公報
【発明の開示】
【発明が解決しようとする課題】
【０００４】
しかしながら、ナイロンスリング３で中空パネル１を吊る場合には、図８に示すように、中空パネル１に傾きが生じるので、中空パネル１を人手で取り付け位置まで引き寄せ、位置決めしなければならず、施工性に問題があった。また、中空パネル１を下地に仮留めした段階で、ナイロンスリング３を取り外さなければならず、安全性にも問題があった。
特許文献１には、中空パネルの裏面側にボルト挿通孔を設け、ワイヤロープ先端に取付けられたボルト孔を有する板状体に係止ボルトを取付けて中空パネルを吊り上げる吊上具が記載されている。この吊上具の場合には、中空パネルの裏面側に孔を開けなければならず、パネル取付後、孔の補修が必要となった。
特許文献２には、中空部に挿入するナットに吊り上げボルトが取付けられており、これに吊上具を締結し、中空パネルを吊上げるための吊上具が記載されている。この吊上具の場合には、中空パネルのナットに吊り上げボルトが取り付けられ、その吊り上げボルトが中空部内に挿入されたままになるため、ナットがコストアップとなる。
特許文献３には、中空パネルの中空部を利用し、円弧状の偏心クランプを用いて中空部に偏心クランプを強固にロッキングして吊り上げるための吊上具が記載されている。この吊上具では、中空部を利用し、パネルを垂直に吊り上げることができるが、中空部にロッキングするためには強力な力が必要であり、また、中空部の大きさは中空パネルによって異なる場合があるため、中空部の大きさに合わせたクランプを複数用意しなければならない必要があった。
特許文献４には、吊り上げ用ロープ先端に掛着部を備えた受具が取り付けられており、この受具下部に脱着自在な支持具を取り付けることにより、中空部下端でパネルを支持して中空パネルを吊り上げる吊上具が記載されている。この吊上具では、パネル取付け後に、下側の中空パネルと吊上後取り付けた中空パネルの横目地間にある支持具を取り外さなければならないが、中空パネルを縦張りした場合には、パネル下部に受けアングルがあり、パネルを下地に取付ける前に受け具を取り外さなければならず、この吊上具を使用することは実質的に不可能であった。
本発明は上記状況に鑑みてなされたもので、ナイロンスリングを押出成形セメント板に巻きつけたり、押出成形セメント板を加工して吊る必要がなく、中空部に吊上具を挿入して押出成形セメント板を垂直に吊り上げることができる押出成形セメント板の吊上具を提供し、もって、立て込み調整の作業効率向上を図ることを目的とする。
【課題を解決するための手段】
【０００５】
上記目的を達成するための本発明に係る請求項１記載の押出成形セメント板の吊上具は、少なくとも上部の開口する中空穴が上下に延在する押出成形セメント板を吊り上げる押出成形セメント板の吊上具であって、前記中空穴に挿入され該中空穴の内壁面へ向かって下り勾配となる第１傾斜面を上辺部に有するベースブロックと、該ベースブロックの上方で前記中空穴に配置され前記第１傾斜面と平行な第２傾斜面を下辺部に有するスライドブロックと、前記第１傾斜面と該第２傾斜面とに亘って設けられ前記ベースブロックと該スライドブロックを傾斜面に沿ってスライド自在に連結するスライド連結手段と、前記ベースブロックに下端が締結され吊り環の設けられた上端が前記中空穴から引き出される吊りワイヤーと、を備え、前記吊りワイヤーの引き上げによる前記スライド連結手段を介する前記ベースブロックと前記スライドブロックとの離反方向へのスライドによって該ベースブロックと該スライドブロックの平行な外側面同士が、前記中空穴の平行な内壁面に当接することを特徴とする。
【０００６】
この押出成形セメント板の吊上具では、中空穴に挿入したベースブロックの吊りワイヤーが引き上げられると、ベースブロックとスライドブロックとが離反方向へスライドされ、押出成形セメント板の荷重が中空穴の平行な内壁面への押圧力へと分解される。この押圧力によって生じた摩擦により中空穴の平行な内壁面にベースブロックとスライドブロックとが固定される。これにより、中空穴に固定したベースブロックとスライドブロックを介して押出成形セメント板が支持可能となる。
【０００７】
請求項２記載の押出成形セメント板の吊上具は、前記スライドブロックに下端が締結され吊り環の設けられた上端が前記中空穴から引き出されるロック解除ワイヤーを備えたことを特徴とする。
【０００８】
この押出成形セメント板の吊上具では、ロック解除ワイヤーが引き上げられると、ベースブロックとスライドブロックとが、外側面同士間の距離を縮める方向へとスライドされ、中空穴の平行な内壁面への押圧力が消去されて、内壁面とベースブロック及びスライドブロックとの固定が解除される。
【０００９】
請求項３記載の押出成形セメント板の吊上具は、前記中空穴の平行な内壁面に当接する前記ベースブロック及び前記スライドブロックの当接面に、滑り止め手段が設けられたことを特徴とする。
【００１０】
この押出成形セメント板の吊上具では、当接面が滑り止め手段を介して内壁面へ当接され、内壁面と当接面との摩擦力が増大され、内壁面に対する当接面の固定力が高められる。
【発明の効果】
【００１１】
本発明に係る押出成形セメント板の吊上具によれば、中空穴に挿入され中空穴の内壁面へ向かって下り勾配となる第１傾斜面を上辺部に有するベースブロックと、ベースブロックの上方で中空穴に配置され第１傾斜面と平行な第２傾斜面を下辺部に有するスライドブロックとを備え、吊りワイヤーの引き上げによるスライド連結手段を介するベースブロックとスライドブロックとの離反方向へのスライドによってベースブロックとスライドブロックの平行な外側面が、中空穴の平行な内壁面に当接するよう構成したので、中空穴に挿入したベースブロックの吊りワイヤーを引き上げることで、押出成形セメント板の荷重を中空穴の平行な内壁面への押圧力へ分解でき、この押圧力によって生じた摩擦により中空穴の平行な内壁面にベースブロックとスライドブロックとを固定することができる。つまり、中空穴に固定したベースブロックとスライドブロックを介して押出成形セメント板を支持することができる。この結果、施工時に、押出成形セメント板を垂直に吊り上げることができ、施工時の立て込み調整を容易にすることができる。また、ナイロンスリングを押出成形セメント板に巻きつけたり、押出成形セメント板を加工して吊る必要がなく、中空部に吊上具を挿入し、吊環を引き上げるだけで押出成形セメント板を吊り上げることができるので、立て込み調整の作業効率を大幅に向上させることができる。
【００１２】
そして、押出成形セメント板の吊上具によれば、スライドブロックに下端が締結され吊り環の設けられた上端が中空穴から引き出されるロック解除ワイヤーを備えたので、ロック解除ワイヤーを引き上げるのみで、中空穴の平行な内壁面への押圧力を消去して、内壁面とベースブロック及びスライドブロックとの固定を解除できる。この結果、吊上具を容易に取り外すことができ、これによっても、立て込み調整の作業効率を大幅に向上させることができる。
【００１３】
また、押出成形セメント板の吊上具によれば、中空穴の平行な内壁面に当接するベースブロック及びスライドブロックの当接面に、滑り止め手段を設けたので、内壁面と当接面との摩擦力を大きくすることができ、内壁面へのベースブロック及びスライドブロックの固定をより確実なものにすることができる。
【発明を実施するための最良の形態】
【００１４】
以下、本発明に係る押出成形セメント板の吊上具の好適な実施の形態を図面を参照して説明する。
図１は本発明に係る吊上具の固定された押出成形セメント板を透視した正面図、図２は図１の側面図、図３は図１に示した吊上具の拡大斜視図である。
本実施の形態による押出成形セメント板の吊上具１００は、少なくとも上部の開口する中空穴１１が上下に延在する押出成形セメント板（中空パネル）１を吊り上げる用途に供される。「少なくとも上部の開口した」とは、中空穴１１の下端は、閉塞、或いは金物によって封鎖されていてもよい意味である。中空穴１１は、同一断面形状で上下に延在して形成されていることが好ましい。このような中空穴１１は、押出成形セメント板の場合、押出成形過程において、中子の断面形状として容易に形成される。中空パネル１は、この中空穴１１が上下方向となって使用される。
【００１５】
吊上具１００は、構成及び作用を概略的に説明すれば、中空パネル１の中空穴１１における下側に配置する略台形状のべースブロック１３と、その上側に配置する略台形状のスライドブロック１５と、べースブロック１３とスライドブロック１５を吊り上げる吊りワイヤー１７と、吊上具１００と中空穴１１とのロックを解除するロック解除ワイヤー１９と、吊り環２１，２３と、スライド連結手段（以下、「スライドレール」と称す。）２５とから構成される。
【００１６】
べースブロック１３は、台形であっても、本実施の形態で図示するように、台形に近似した五角形状であってもよい。但し、何れの場合も、中空穴１１に挿入された状態で、図１に示すように、中空穴１１の内壁面１１ａへ向かって下り勾配となる第１傾斜面２７を有する。図示の例では、べースブロック１３の上辺部に第１傾斜面２７が形成されるが、後述するように、第１傾斜面２７は、側辺部に形成されてもよい。
【００１７】
スライドブロック１５は、べースブロック１３の上方で中空穴１１に配置され、第１傾斜面２７と平行な第２傾斜面２９を下辺部に有する。図示の例では、内角の一つが９０°となる台形の傾斜辺が下側に配置されて第２傾斜面２９となっている。べースブロック１３とスライドブロック１５とは、第１傾斜面２７と第２傾斜面２９とを接触させた状態で、平行な外側面１３ａ，１５ａを、中空穴１１の内壁面１１ｂ，１１ａに当接させる。
【００１８】
スライドレール２５は、第１傾斜面２７と第２傾斜面２９とに亘って設けられ、べースブロック１３とスライドブロック１５を、傾斜面に沿ってスライド自在に連結している。より具体的に、スライドレール２５は、図２、図３に示すように、べースブロック１３の第１傾斜面２７に形成された断面Ｔ字形状の凸条レール２５ａと、スライドブロック１５の第２傾斜面２９に形成され、凸条レール２５ａが嵌入する断面Ｔ字形状の溝２５ｂとからなる。すなわち、べースブロック１３とスライドレール２５とは、凸条レール２５ａが溝２５ｂに係合することで、傾斜面に沿って相対移動自在になるとともに、上下方向へは離反が規制されている。
【００１９】
吊りワイヤー１７は、べースブロック１３の上部に下端が締結され、吊り環２１の設けられた上端が中空穴１１から引き出される。ロック解除ワイヤー１９は、スライドレール２５の上部に下端が締結され、吊り環２３の設けられた上端が中空穴１１から引き出される。なお、図中、３１，３３は、吊りワイヤー１７、ロック解除ワイヤー１９を締結するための貫通穴である。
【００２０】
吊上具１００は、吊りワイヤー１７が引き上げられることで、べースブロック１３と共にスライドブロック１５も引き上げられる。この際、中空穴１１に挿入したべースブロック１３とスライドブロック１５とが離反方向へスライドされ、中空パネル１の荷重が中空穴１１の平行な内壁面１１ａ，１１ｂへの押圧力へ分解される。この押圧力によって生じた摩擦により中空穴１１の平行な内壁面１１ａ，１１ｂにべースブロック１３とスライドブロック１５とが固定される。これにより、中空穴１１に固定したべースブロック１３とスライドブロック１５を介して中空パネル１が支持可能となる。
【００２１】
一方、ロック解除ワイヤー１９が引き上げられると、べースブロック１３とスライドブロック１５とが、外側面１３ａ，１５ａ同士間の距離を縮める方向へとスライドされ、中空穴１１の平行な内壁面１１ａ，１１ｂへの押圧力が消去されて、内壁面１１ａ，１１ｂとべースブロック１３及びスライドブロック１５との固定が解除される。
【００２２】
つまり、中空穴１１の下側に配置するべースブロック１３を引き上げることにより、吊上具１００を中空穴１１に固定することができ、中空穴１１の上側に配置するスライドロック１５を引き上げることにより、吊上具１００を中空穴１１から取り外すことができるようになっている。
【００２３】
ここで、中空穴１１の平行な内壁面１１ａ，１１ｂに当接するべースブロック１３及びスライドブロック１５の当接面（すなわち、外側面１３ａ，１５ａ）には、不図示の滑り止め手段が設けられることが好ましい。滑り止め手段としては、例えば、弾性体からなるシート材（ゴムシート等）、粘着性ゴム（シリコーンゴム等）からなるシート材、或いは水平方向に延在する平行な微小凸条及び微小凹溝を上下方向に交互に形成した凹凸面部が挙げられる。
【００２４】
外側面１３ａ，１５ａがこれらいずれかの滑り止め手段を介して内壁面１１ａ，１１ｂへ当接されれば、内壁面１１ａ，１１ｂと外側面１３ａ，１５ａとの摩擦力が増大され、内壁面１１ａ，１１ｂに対する外側面１３ａ，１５ａの固定力（保持性）が高められる。これにより、内壁面１１ａ，１１ｂへのべースブロック１３及びスライドブロック１５の固定をより確実なものにすることができる。
【００２５】
次に、上記のように構成された吊上具１００を用いての中空パネル１の吊り上げ手順について説明する。
図４は吊上具の中空穴への挿入から取り出しまでの過程を（ａ）（ｂ）（ｃ）で表した説明図、図５は吊上具を用いた押出成形セメント板の吊り上げ状態を正面視（ａ）、側面視（ｂ）で表した説明図である。
中空パネル１を吊り上げるには、先ず、図４（ａ）に示すように、吊上具１００のスライドブロック１５及びべースブロック１３をスライドさせない状態で中空穴１１に挿入する。
【００２６】
次いで、図４（ｂ）に示すようにべースブロック１３側の吊り環２１を引き上げることにより、スライドブロック１５を斜め下方にスライドさせる。すると、べースブロック１３が上方に移動しようとする力と、スライドブロック１５が下方に移動しようとする力で、べースブロック１３とスライドブロック１５の外側面１３ａ，１５ａが中空穴１１の内壁面１１ａ，１１ｂに密着する。さらに、べースブロック１３を引き上げることにより、べースブロック１３とスライドブロック１５が互いに逆方向に移動しようとする力が働き、べースブロック１３とスライドブロック１５の外側面１３ａ，１５ａが中空穴１１に強固にロッキングされた状態になる。
【００２７】
吊上具１００は、図５に示すように、吊り上げ時のバランスが均等になるようにアングル材３５を用いて中空穴１１に挿入固定する。そして、不図示のクレーンなどによって吊り上げることで、中空パネル１を垂直に吊り上げることが可能となる。吊り上げ時にも、べースブロック１３とスライドブロック１５は互いに逆方向に移動しようとする力により、中空穴１１に強固にロッキングされた状態になっているので、中空パネル１が落下することはない。
【００２８】
中空パネル１は、吊り上げ状態で、取り付け場所まで移動し、Ｚクリップなどで下地材に取付けられるが、垂直に吊り上げることが可能なので、建て込み調整（目地合わせ、出入り調整など）・施工性・安全性が向上する。中空パネル１を下地に取付けた後、吊上具１００を中空穴１１より取り外す時は、図４（ｃ）に示すように、スライドブロック１５に締結したロック解除ワイヤー１９の吊り環２３を上方に引き上げることで、スライドブロック１５が斜め上方にスライドし、中空穴１１に対するロッキングが外れ、容易に取り外すことができる。
【００２９】
したがって、この押出成形セメント板の吊上具１００によれば、中空穴１１に挿入され中空穴１１の内壁面１１ａへ向かって下り勾配となる第１傾斜面２７を有するべースブロック１３と、べースブロック１３の上方で中空穴１１に配置され第１傾斜面２７と平行な第２傾斜面２９を有するスライドブロック１５とを備え、スライドレール２５を介するスライドによってべースブロック１３とスライドブロック１５の平行な外側面１３ａ，１５ａが、中空穴１１の平行な内壁面１１ａ，１１ｂに当接するよう構成したので、中空穴１１に挿入したべースブロック１３の吊りワイヤー１７を引き上げることで、中空パネル１の荷重を中空穴１１の内壁面１１ａ，１１ｂへの押圧力へ分解でき、この押圧力によって生じた摩擦により中空穴１１の内壁面１１ａ，１１ｂにべースブロック１３とスライドブロック１５とを固定することができる。
【００３０】
つまり、中空穴１１に固定したべースブロック１３とスライドブロック１５を介して中空パネル１を支持することができる。この結果、施工時に、中空パネル１を垂直に吊り上げることができ、施工時の立て込み調整を容易にすることができる。また、ナイロンスリングを中空パネル１に巻きつけたり、中空パネル１を加工して吊る必要がなく、中空穴１１に吊上具１００を挿入し、吊り環２１を引き上げるだけで中空パネル１を吊り上げることができるので、立て込み調整の作業効率を大幅に向上させることができる。
【００３１】
そして、スライドブロック１５にはロック解除ワイヤー１９を締結したので、ロック解除ワイヤー１９を引き上げるのみで、中空穴１１の内壁面１１ａ，１１ｂへの押圧力を消去して、内壁面１１ａ，１１ｂとべースブロック１３及びスライドブロック１５との固定を解除できる。この結果、吊上具１００を容易に取り外すことができ、これによっても、立て込み調整の作業効率を大幅に向上させることができる。
【００３２】
なお、上記した実施の形態では、第１傾斜面２７、第２傾斜面２９が、べースブロック１３の上辺部、スライドブロック１５の下辺部に形成される場合を例に説明したが、本発明に係る吊上具は、図６に示すように、台形に形成したべースブロック１３Ａ、スライドブロック１５Ａの側辺部に、第１傾斜面２７、第２傾斜面２９を配置する吊上具１００Ａとしてもよい。この吊上具１００Ａでは、べースブロック１３Ａを引き上げることで、中空パネル１の荷重を内壁面１１ａ，１１ｂへの押圧力としてより効率的に分解することができる。但し、この構成の場合、楔効果により効果的な押圧力が得られるものの、べースブロック１３とスライドブロック１５とが強固に中空穴１１に固定されてしまい、ロック解除ワイヤー１９の引き上げ力が大きくなる。この点、上記した実施の形態による吊上具１００によれば、そのような作業性の低下も危惧されることはない。
【産業上の利用可能性】
【００３３】
このように、本発明に係る押出成形セメント板の吊上具は、中空穴に挿入され中空穴の内壁面へ向かって下り勾配となる第１傾斜面を有するベースブロックと、ベースブロックの上方で中空穴に配置され第１傾斜面と平行な第２傾斜面を有するスライドブロックと、第１傾斜面と第２傾斜面とに亘って設けられベースブロックとスライドブロックを傾斜面に沿ってスライド自在に連結するスライド連結手段と、ベースブロックに下端が締結され吊り環の設けられた上端が中空穴から引き出される吊りワイヤーと、を備え、スライド手段を介するベースブロックとライドブロックとのスライドによってベースブロックとスライドブロックの平行な外側面同士が、中空穴の平行な内壁面に当接する構成を有する。この構成により、中空パネルを垂直に吊り上げることができる。そのため、立て込み調整時における作業効率の向上が要望される押出成形セメント板の吊上具に広く利用できる。
【図面の簡単な説明】
【００３４】
【図１】本発明に係る吊上具の固定された押出成形セメント板を透視した正面図である。
【図２】図１の側面図である。
【図３】図１に示した吊上具の拡大斜視図である。
【図４】吊上具の中空穴への挿入から取り出しまでの過程を（ａ）（ｂ）（ｃ）で表した説明図である。
【図５】吊上具を用いた押出成形セメント板の吊り上げ状態を正面視（ａ）、側面視（ｂ）で表した説明図である。
【図６】本発明に係る変形例の吊上具の固定された押出成形セメント板を透視した正面図である。
【図７】ナイロンスリングを（ａ）、当該ナイロンスリングの押出成形セメント板への掛止状態を（ｂ）に表した従来技術の説明図である。
【図８】ナイロンスリングを用いた押出成形セメント板の吊り上げ状況を正面視（ａ）、背面視（ｂ）に表した従来技術の説明図である。
【符号の説明】
【００３５】
１…中空パネル（押出成形セメント板）、１１…中空穴、１１ａ，１１ｂ…内壁面、１３…ベースブロック、１３ａ，１５ａ…外側面（当接面）、１５…スライドブロック、１７…吊りワイヤー、１９…ロック解除ワイヤー、２１，２３…吊り環、２５…スライドレール（スライド連結手段）、２７…第１傾斜面、２９…第２傾斜面、１００…押出成形セメント板の吊上具
【図１】
0004475658.tif 000002
【図２】
0004475658.tif 000003
【図３】
0004475658.tif 000004
【図４】
0004475658.tif 000005
【図５】
0004475658.tif 000006
【図６】
0004475658.tif 000007
【図７】
0004475658.tif 000008
【図８】
0004475658.tif 000009